(57)【要約】【課題】  電子体温計を収納ケースから取り出しやすく、把持しやすく、電子体温計の温度センサが収納された測温部（金属キャップ）が腋下の体温測定部位に適切に装着・保持できる電子体温計の提供。【解決手段】測定部位が腋下であり、本体部、測温部、温度表示部を備えた棒状の電子体温計であって、本体部の側面に凹部を設けたことを特徴とする。また、凹部には複数の微小の突起を設けたことを特徴とする。表示部は、各種の告知機能、エラー告知機能，使用温度範囲外告知機能，動作不能告知機能，予測動作告知機能，電池電圧低下告知機能を備えている。【選択図】  図１
2011058857.tif 000002
【特許請求の範囲】
【請求項１】
測定部位が腋下であり、本体部、測温部、温度表示部を備えた棒状の電子体温計であって、
該本体部の側面に凹部を設けたことを特徴とする電子体温計。
【請求項２】
該凹部には複数の微小の突起を設けたことを特徴とする請求項１に記載の電子体温計。
【発明の詳細な説明】
【技術分野】
【０００１】
本発明は、電子体温計に関するものである。特に、腋下の体温を測定する電子体温計に関するものである。
【背景技術】
【０００２】
従来の電子体温計においては、日本においては主に水銀体温計の形状を踏襲し、体温測定部位をワキ下（腋下）とし、保護者・介護者が棒状の電子体温計のプローブ部（金属キヤップ部）を被測定者のワキ下（腋下）に挟んだり、測定者自身が棒状の電子体温計のプローブ部（金属キヤップ部）をワキ下（腋下）に挟んで体温を測定するものである（特許文献１：特公平３−２４６１５号公報）。
【先行技術文献】
【特許文献】
【０００３】
【特許文献１】特公平３−２４６１５号公報
【発明の概要】
【発明が解決しようとする課題】
【０００４】
しかしながらこのような電子体温計においては、特に高齢者ややせ型体形の場合、測定部位への測温部（金属キャップ部）の装着・保持が適切でなく、エラー報知がされない場合、体温が低めに測定される可能性がある。
【０００５】
本発明は、上記問題点に鑑みなされたものであり、電子体温計を収納ケースから取り出しやすく、把持しやすく、電子体温計の温度センサが収納された測温部（金属キャップ）が腋下の体温測定部位に適切に装着・保持できる電子体温計を提供することを目的としている。
【課題を解決するための手段】
【０００６】
上記目的を達成するために、本発明の電子体温計は、測定部位が腋下であり、本体部、測温部、温度表示部を備えた棒状の電子体温計であって、本体部の側面に凹部（溝部）を設けたことを特徴としている。また、凹部（溝部）には複数の微小の突起を設けたことを特徴としている。
【発明の効果】
【０００７】
本発明の電子体温計によれば、収納ケースから取り出しやすく、把持しやすく、電子体温計の温度センサが収納された測温部（金属キャップ）が腋下の体温測定部位に適切に装着・保持できる。
【図面の簡単な説明】
【０００８】
【図１】本発明の電子体温計の好ましい実施形態を示す図である。
【図２】図１に示す電子体温計のブロック図である。
【発明を実施するための形態】
【０００９】
以下に、図面を参照して、この発明の実施の形態を実測式の電子体温計を例示的に詳しく説明する。ただし、この実施の形態に記載されている構成要素はあくまで例示であり、この発明の範囲をこれらに限定する趣旨のものではなく、実測式の電子体温計や実測モードを備えた平衡温予測式の電子体温計に適用できることはいうまでもない。
【００１０】
（実施例）  ＜電子体温計の構成＞
図１において、（ａ）は実施例における電子体温計の正面図、（ｂ）は背面図、（ｃ）は収納ケースの正面図、図２は機能ブロック図である。
【００１１】
図１において、電子体温計１は、全体の重量が２０〜３０ｇ程度で、本体部２、サーミスタで形成された温度センサ（不図示）が収納され、金属キャップでその温度センサを液密に保護した測温部７、測温部７を保持する曲線形状部３、測定された体温値を表示するため液晶等で形成される表示部４、２秒程度の長押で電源ＯＮ／ＯＦＦを行なうスイッチ５を備えている。なお、表示部４は、ＬＣＤで構成され、「前回値表示」マーク４ａ，「予測」マーク４ｂ，「電池電圧低下」マーク４ｃ，「体温値表示部」４ｄを備えている。なお、ＬＣＤの代わりに有機ＥＬを用いてもよい。
【００１２】
本体部２は、長さが１２５〜１５０ｍｍ程度、厚みが８〜１２ｍｍ程度、幅が１５〜１８ｍｍ程度で、熱伝導率が低く、耐衝撃性，耐薬品性がある熱可塑性材料である、スチレン系樹脂（ハイインパクトスチロール，ＡＢＳ樹脂）、ポリオレフィン系樹脂（ポリプロピレン，ポリエチレン）等で形成されている。また、抗菌性を持たせるために、リン酸ジルコニウム銀化合物をほぼ１〜２．５重量％含むようにして成形してもよい。また、表示部４は透明性の熱可塑性樹脂で形成され、好ましくは本体部２と２色成形されている。また、スイッチ５は好ましくは、タクトスイッチが用いられる。こうすることで、電子体温計２の殆どの部分をアルコールなどで消毒することが可能となる。
【００１３】
本体部２の両側の側面には、端部２ｄを挟んで、連続して本体部２の厚さの６０〜７０％の幅で、片側の長さが本体部２の長さの４０〜４０％程度、深さが２ｍｍ程度の凹部（溝部）２ａが設けられている。また、好ましくは、凹部（溝部）２ａには微小突起２ｂが設けられている。また、背面には、その適所（好ましくは、測温部７から６０〜１００ｍｍ離れた位置）に凸部または複数の微小突起２ｃを備えている。
【００１４】
こうすることでデザイン上の美観を損なうことなく、収納ケース３ら取り出しやすく、把持しやすく、電子体温計の温度センサが収納された測温部（金属キャップ７）が腋下の体温測定部位に適切に装着・保持できる電子体温計となる。また、好ましくは、スイッチ５も、本体部２の測温部７の反対側の先端の凹部２ａに設けられている。こうすることで、体温測定中に、スイッチ５が誤って押下されることがない。
【００１５】
図２は、本実施例の電子体温計１の構成を示す機能ブロック図である。電子体温計１は、測温部７、この測温部７で計測されたデジタル量を実測温度または予測温度を演算するとともに電子体温計１を制御する演算制御部（ＣＰＵ）１２、測定結果を表示する液晶などの表示部４とから構成される。演算制御部（ＣＰＵ）１２は、体温測定に必要なパラメータを格納したＥＥＰＲＯＭ１２ｃ、計測温度を時系列で記憶するためのＲＡＭ１２ａ、被検者の体温を予測演算するプログラム等を格納したＲＯＭ１２ｂに基づき、電子体温計１全体を制御する。
【００１６】
測定温部７は、サーミスタ、コンデンサ、測温用ＣＲ発振回路等から構成されており、サーミスタにより検出された温度を発信信号として出力する。出力された発信信号はカウンタにおいてカウントされることで、デジタル量として出力される。少なくともサーミスタはステンレス製の金属キャップで液密に保護された測温部７を構成している。
【００１７】
演算制御部１２は、測温部７より出力されるデジタル信号のＯＮ時間を計測するタイマー（不図示）を備える。
【００１８】
＜電子体温計における体温測定処理の流れ＞
次に、電子体温計における体温測定処理の流れについて説明する。なお、ここでは、平衡温予測式の電子体温計１の体温測定処理の流れについて説明するが、本発明はこれに限定されず、実測式の電子体温計、予測／実測を併用するタイプの電子体温計にも適用可能である。
【００１９】
被検者の腋下に装着されると、電子体温計１では、所定の周期のサンプリングタイミングで温度計測を開始し、取得された温度データの時間変化に基づいて、被検者の体温を予測演算する。演算処理は、マイクロコンピュータで構成される演算処理部（不図示）において実行される。
【００２０】
電子体温計１の電源ＯＮ／ＯＦＦのスイッチ５が２秒程度の長押しでＯＮされると、電子体温計１の初期化が行われ、その間は、表示部４のすべてのセグメントが点灯する。その後、サーミスタによる温度計測が開始される。例えば、演算処理部では、所定間隔、例えば、０．５秒おきに温度データの演算が行われる。
【００２１】
次に、体温計測開始条件が成立したか否かを判断する。具体的には、前回の温度計測により演算された温度データの値（つまり、０．５秒前の温度データの値）からの上昇度が、所定の値（例えば、１℃）以上となったか否かを判断する。
【００２２】
次に、上昇度が所定の値以上となったと判断した場合には、体温測定開始条件が成立したと判断し、当該温度データを計測したタイミングを、予測体温演算の基準点（ｔ＝０）として設定する。つまり、電子体温計１では、急激な温度上昇が計測されると、被検者が、腋下に電子体温計１を装着したものとみなす。
【００２３】
次に、体温測定開始条件が成立したと判断した場合には、温度データの取り込みを開始する。具体的には、出力された温度データと、当該温度データを計測したタイミングとを、時系列データとしてＲＡＭ１２ａに記憶する。次に、記憶された温度データを用いて、所定の予測式により、予測体温を演算する。
【００２４】
次に、基準点（ｔ＝０）から所定時間（例えば２５秒）、経過した後に、算出された一定区間（例えば、ｔ＝２５〜３０秒）における予測値が、予め設定された予測成立条件を満たすか否かを判断する。具体的には、所定の範囲（例えば、０．１℃）以内に収まっているか否かを判断する。
【００２５】
次に、予測成立条件を満たすと判断されると、温度計測を終了するとともに、予測体温の演算が終了した旨の音声をスピーカ（不図示）で出力し、表示部４に、演算された予測体温を表示し、所定秒経過後、電源を自動的にＯＦＦする。表示部４の表示モード切替スイッチを設けて、表示部４で過去２４時間の体温値のトレンド、過去７日の体温値のトレンドを表示するようにしてもよい。
【００２６】
一方、予測成立条件を満たさないと判断された場合には、基準点（ｔ＝０）から所定時間（例えば４５秒）経過したか否かを判断し、経過したと判断された場合には、温度計測を強制終了する。なお、強制終了した場合には、その際に演算されていた予測体温を、表示部４に表示する。一方、体温測定終了指示を受け付けたと判断された場合には、電池（電源部）１３からの電源供給を自動的にＯＦＦにする。
【００２７】
また、電源ＯＮ／ＯＦＦスイッチ５を設けないで、歪ゲージを設けて、所定位置に装着して挟まれるとこの歪ゲージに押圧力がかかり、電源がＯＮされるようにしてもよい。
【００２８】
なお、図１（ｄ）に示すように、表示部４は、各種の告知機能を有していて、使用者の使い勝手を向上させている。
（エラー告知機能）
演算処理部で検温不良と判断した時に、ブザー音とともに、表示部４の体温値表示部４ｄに「 Ｅ」マークを表示する。
（使用温度範囲外告知機能）
演算処理部で使用温度が３０℃以下と判断した時は、表示部４の体温値表示部４ｄに「Ｌｏ」マークを、使用温度が４２℃以上と判断した時は、表示部４の体温値表示部４ｄに「Ｈｉ」マークを表示する。
（動作不能告知機能）
演算処理部で動作異常と判断した場合に、表示部４の体温値表示部４ｄに「 ＥＥ」マークを表示する。
（予測動作告知機能）
演算処理部で予測動作中と判断した場合に、表示部４の予測マーク４ｄを点灯させる。
（電池電圧低下告知機能）
演算処理部で電池電圧が所定以下になったと判断すると、「電池電圧低下」マーク４ｃのみを点滅または点灯させ、「前回値表示」マーク４ａ，「予測」マーク４ｂ，「体温値表示部」４ｄを消灯する。
【符号の説明】
【００２９】
１  電子体温計、２  本体部、２ａ  凹部、４  表示部、７  測温部
【図１】
2011058857.tif 000003
【図２】
2011058857.tif 000004